(57)【要約】【課題】従来の情報処理システムにおいては、バス内に居る場合に限って情報を得ることができる、という空間限定のサービスを提供することができなかった。【解決手段】１以上のバス停の乗り場周辺に設置された１以上の情報処理装置と、携帯端末装置を具備する情報処理システムであって、情報処理装置は、バス停の近隣またはバス運行路線の近隣についての情報であり、位置情報を属性値とする地域情報を格納している地域情報格納部と、近距離無線通信により地域情報を、携帯端末装置に送信する地域情報送信部を具備し、携帯端末装置は、情報処理装置から送信された地域情報を受信する地域情報受信部と、位置情報を取得する位置情報取得部と、位置情報に基づいて地域情報を取得する地域情報取得部と、地域情報を出力する地域情報出力部を具備する情報処理システムにより、バス内に限定のサービスを提供できる。【選択図】図１
2007233937.tif 000002
【特許請求の範囲】
【請求項１】
１以上のバス停の乗り場周辺に設置された１以上の情報処理装置と、携帯端末を具備する情報処理システムであって、
前記情報処理装置は、
前記バス停の近隣または前記バス停で停車するバスが運行する路線の近隣についての情報であり、情報が関連する位置を示す情報である位置情報を属性値として有する情報である地域情報を格納している地域情報格納部と、
近距離無線通信により前記地域情報を、前記携帯端末に送信する地域情報送信部を具備し、
前記携帯端末は、
前記情報処理装置から送信された地域情報を受信する地域情報受信部と、
前記地域情報を蓄積する地域情報蓄積部と、
位置情報を取得する位置情報取得部と、
前記位置情報取得部が取得した位置情報が示す位置と一致するまたは所定以内の距離であると判断され得る位置情報を属性値として有する地域情報を読み出す地域情報取得部と、
前記地域情報取得部が取得した地域情報を出力する地域情報出力部を具備する情報処理システム。
【請求項２】
前記携帯端末は、
前記地域情報蓄積部が蓄積した地域情報であり、所定の条件に合致する地域情報を、削除する地域情報削除部をさらに具備する請求項１記載の情報処理システム。
【請求項３】
前記携帯端末は、
前記位置情報取得部が取得した位置情報の履歴から、前記地域情報を出力すべき位置を通過したか否かを判断する、または前記地域情報出力部が地域情報を出力したか否かを判断する削除判断部をさらに具備し、
前記地域情報削除部は、
前記削除判断部が前記地域情報を出力すべき位置を通過した、または前記地域情報出力部が地域情報を出力したと判断した場合に、当該地域情報を削除する請求項２記載の情報処理システム。
【請求項４】
前記情報処理システムは、
１以上のバス停の降り場周辺に設置された１以上の第二情報処理装置をさらに具備し、
前記第二情報処理装置は、
地域情報を削除する命令である削除命令を、近距離無線通信で前記携帯端末に送信する削除命令送信部を具備し、
前記携帯端末は、
前記削除命令を受信する削除命令受信部をさらに具備し、
前記地域情報削除部は、
前記削除命令受信部が削除命令を受信した場合に、前記地域情報を削除する請求項２記載の情報処理システム。
【請求項５】
前記情報処理システムは、
バスに設置されており、バスの位置情報を受信するバス位置情報取得部と、
前記バス位置情報取得部が受信した位置情報を増幅して前記バスの車内に送信するバス位置情報増幅部をさらに具備し、
前記位置情報取得部は、
前記バス位置情報増幅部が増幅して送信した位置情報を受信する請求項１から請求項４いずれか記載の情報処理システム。
【請求項６】
前記地域情報は、当該地域情報の属性を示す地域属性情報を属性値として有し、
前記携帯端末は、
ユーザの嗜好に関する情報であるプロファイル情報を格納しているプロファイル情報格納部と、
前記プロファイル情報と前記地域情報の地域属性情報を比較し、前記地域情報がユーザの嗜好に合致するか否かを判断する嗜好判断部をさらに具備し、
前記嗜好判断部がユーザの嗜好に合致する、と判断した地域情報のみ出力する請求項１から請求項５いずれか記載の情報処理システム。
【請求項７】
前記地域情報は、
バスの路線に関する情報である路線情報を属性値として有し、
前記情報処理システムは、
バスに設置されているバス情報送信装置をさらに具備し、
前記バス情報送信装置は、
バスの路線を識別する情報であるバス路線識別子を格納しているバス路線識別子格納部と、
前記バス路線識別子を送信するバス路線識別子送信部を具備し、
前記情報処理装置は、
前記バス情報送信装置からバス路線識別子を受信するバス路線識別子受信部と、
前記バス路線識別子と地域情報の属性値である路線情報を用いて、前記地域情報格納部から地域情報を選択して取得する地域情報選択部をさらに具備し、
前記地域情報送信部は、
前記地域情報選択部が取得した地域情報を、近距離無線通信により前記携帯端末に送信する請求項１から請求項６いずれか記載の情報処理システム。
【請求項８】
前記情報処理装置は、
前記地域情報送信部が前記地域情報を送信した動作に関する情報である情報送信履歴を取得する情報送信履歴取得部と、
前記情報送信履歴取得部が取得した情報送信履歴を出力する情報送信履歴出力部をさらに具備する請求項１から請求項７いずれか記載の情報処理システム。
【請求項９】
前記携帯端末は、
前記地域情報出力部が地域情報を出力した動作に関する情報である情報出力履歴を取得する情報出力履歴取得部と、
前記情報出力履歴取得部が取得した情報出力履歴を出力する情報出力履歴出力部をさらに具備する請求項１から請求項８いずれか記載の情報処理システム。
【請求項１０】
前記情報処理装置は、
地域情報を出力するプログラムを格納しているプログラム格納部と、
近距離無線通信により前記プログラムを、前記携帯端末に送信するプログラム送信部をさらに具備し、
前記携帯端末は、
前記プログラムを受信するプログラム受信部と、
前記プログラムを蓄積するプログラム蓄積部をさらに具備し、
前記地域情報出力部は、
前記プログラム蓄積部が蓄積したプログラムにより、地域情報を出力する請求項１から請求項９いずれか記載の情報処理システム。
【請求項１１】
請求項１から請求項１０いずれか記載の情報処理システムを構成する情報処理装置。
【請求項１２】
請求項４から請求項１０いずれか記載の情報処理システムを構成する第二情報処理装置。
【請求項１３】
請求項１から請求項１０いずれか記載の情報処理システムを構成する携帯端末。
【請求項１４】
コンピュータに、
地域情報を受信する地域情報受信ステップと、
前記地域情報を蓄積する地域情報蓄積ステップと、
位置情報を取得する位置情報取得ステップと、
前記位置情報取得ステップで取得した位置情報が示す位置と一致するまたは所定以内の距離であると判断され得る位置情報を属性値として有する地域情報を読み出す地域情報取得ステップと、
前記地域情報取得ステップで取得した地域情報を出力する地域情報出力ステップと、
前記地域情報蓄積ステップで蓄積した地域情報であり、所定の条件に合致する地域情報を、削除する地域情報削除ステップを実行させるためのプログラム。
【請求項１５】
コンピュータに、
バス路線識別子を受信するバス路線識別子受信ステップと、
前記バス路線識別子と地域情報の属性値である路線情報を用いて、地域情報を選択して取得する地域情報選択ステップと、
近距離無線通信により前記地域情報を送信する地域情報送信ステップを実行させるためのプログラム。
【発明の詳細な説明】
【技術分野】
【０００１】
本発明は、バスに乗車するユーザが保持している携帯端末で、ユーザがバスの運行路線に適した情報を得ることができる情報処理システムなどに関するものである。
【背景技術】
【０００２】
従来の第一の情報処理システムは、乗合バスの停留所や鉄道の駅周辺の地域内の情報を乗客に対して実時間で提供できるシステムである。本システムは、停車駅を含む所定地域内の提供対象となる情報を駅毎にまとめた地域情報を駅毎に作成して、この地域情報を地域情報サーバに格納し、この格納されている地域情報を仲介装置によって、各列車に設けられた情報提供装置に対して供給する。仲介装置は運行位置管理装置からの情報によって各列車の運行位置を把握し、列車が駅に停車したときにこの列車の次の停車駅の地域情報を情報提供装置に供給する。情報の供給を受けた情報提供装置によって、列車が次の停車駅に到着するまでの間、供給された地域情報が乗客に対して自動的に提供される。地域情報としては、例えば駅周辺で行われる催し物や周辺に存在する公共施設などの情報が提供される（特許文献１参照）。
【０００３】
従来の第二の情報処理システムは、移動体端末に対して無駄な情報を配信することを防止した観光情報配信システムである。本システムにおけるガイド内容記録装置には、観光地に存在する複数の観光対象に関するガイド内容が格納されている。また、利用者は、ネットワークを介して予め上記複数の観光対象のうちから、ガイド内容の配信を希望する観光対象のみを選択し、「個人情報」として処理部に送信する。処理部は、ネットワークを介して移動体端末から自動的に送信される、利用者の現在の位置情報に基づいて個人情報記録装置およびガイド内容記録装置を検索し、希望された観光対象のみに関するガイド内容を移動体端末に配信する（特許文献２参照）。
【０００４】
従来の第三の情報処理システムは、携帯電話等の移動体端末に対して各移動体端末のユーザのニーズに沿った情報配信を行うシステムである。本システムにおいて、情報提供者（広告事業者）は広告登録を行うことによって、配信情報ごとに配信条件（配信先の地域等）を指定することができる。一方、情報取得者（ユーザ）は配信希望登録を行うことによって、配信を所望する情報の内容をキーワード（配信情報特定情報）により指定することができる。そして、かかる広告登録および配信希望登録の内容に沿った情報配信が行われるため、携帯電話等の移動体端末を所持するユーザのニーズに沿った情報をユーザの位置に対応付けて迅速に配信することができる（特許文献３参照）。
【０００５】
従来の第四の情報処理システムは、利用者自身の現在位置だけでなく、交通機関における現在運行中の移動体の現在位置情報とその周辺情報とを関連付けた情報を利用者に提供する情報システムである。本システムにおいて、一定の経路を移動する交通機関の移動体であって、移動中に現在位置を取得する手段と、該現在位置を送信する手段とを有する移動体と、移動体を待機する利用者が保持する入出力装置と、移動体の経路情報を保持する手段と、送信された移動体の現在位置を蓄積する手段と、利用者が入出力装置に選択的に入力した経路の情報を受信する手段と、経路情報に移動体の現在位置の情報を重畳する手段と、該重畳した情報を入出力装置へ送信する手段とを有する情報処理装置とを有する（特許文献４参照）。
【０００６】
従来の第五の情報処理システムは、移動時に携帯するかまたは移動体に据え付けて使用する情報提供装置を具備し、利用者の属性データと位置情報により、その地域に最も適した情報を提供する情報配信システムである。本情報配信システムは、公衆回線網と、公衆回線網に接続された情報提供装置と、情報提供装置に音声情報および画像情報を提供する情報提供サーバ装置により構成され、情報提供装置は、携帯電話機と、携帯電話機と通信するインターフェース部と利用者の属性データを入力する利用者属性データ入力手段とを有する情報配信システムである（特許文献５参照）。
【０００７】
従来の第六の情報処理システムは、電車やバスなどの移動体を利用するユーザの携帯端末に対し、移動体の路線情報に基づき、行き先や停車位置に関連しかつユーザの趣味嗜好に適合する広告情報を提供する情報処理システムである。移動体広告の本携帯端末配信システムは、電車やバス等を含む移動体を利用するユーザが所持する携帯端末から送られる当該ユーザの位置情報に基づいて、路線情報提供装置から移動体に関する路線情報を取得して移動体を特定し、移動体の路線情報と共に、ユーザの趣味嗜好に関する情報に基づいて、広告情報提供装置から、移動体の行き先及びユーザの趣味指向を反映した広告情報を取得して携帯端末に提示するシステムである（特許文献６参照）。
【０００８】
従来の第七の情報処理システムは、ユーザの現在位置に対応した最新の広告情報をユーザ端末に出力できるように、ユーザ端末のユーザが積極的に広告情報を更新させることができるシステムである。本広告情報提供システムは、広告提供サーバと、１以上のユーザ端末とから構成され、広告提供サーバは、ユーザ端末からの要求に従ってユーザ端末に広告情報を送信する。ユーザ端末は、広告提供サーバから受信した広告情報を記録媒体に格納し、ユーザ端末の現在位置に応じて記録媒体に格納された広告情報を取得して表示部、またはスピーカーから出力する。また、広告提供サーバは、ユーザ端末の広告情報の更新、または広告情報の出力の頻度に応じて、広告更新ポイント、または広告出力ポイントを算出して特典管理ファイルに記憶するシステムである（特許文献７参照）。
【特許文献１】特開２００２−２１５０７６号公報（第１頁、第１図等）
【特許文献２】特開２００５−１５７９７７号公報（第１頁、第１図等）
【特許文献３】特開２００２−９９８１６号公報（第１頁、第１図等）
【特許文献４】特開２００２−１８３８９４号公報（第１頁、第１図等）
【特許文献５】特開２００３−５０８１９号公報（第１頁、第１図等）
【特許文献６】特開２００５−２５００８１号公報（第１頁、第１図等）
【特許文献７】特開２００２−３１８９６１号公報（第１頁、第１図等）
【発明の開示】
【発明が解決しようとする課題】
【０００９】
しかしながら、従来の情報処理システムにおいては、ユーザがバスに乗る際に地域情報を受信し、バス内に居る場合に限って情報を得ることができる、という空間限定のサービスを提供することができなかった。
【００１０】
また、従来の情報処理システムにおいては、バス内のＧＰＳ受信機付きの携帯端末を利用しても、端末の位置を精度高く得ることができなかったので、ユーザ（バスまたは端末を含む）の位置に精度高く対応した情報をユーザに提示できなかった。
【００１１】
さらに、従来の情報処理システムにおいては、ユーザが乗るバスの路線に完全に適合した地域情報を、ユーザは得ることができなかった。
【課題を解決するための手段】
【００１２】
本第一の発明の情報処理システムは、１以上のバス停の乗り場周辺に設置された１以上の情報処理装置と、携帯端末を具備する情報処理システムであって、前記情報処理装置は、前記バス停の近隣または前記バス停で停車するバスが運行する路線の近隣についての情報であり、情報が関連する位置を示す情報である位置情報を属性値として有する情報である地域情報を格納している地域情報格納部と、近距離無線通信により前記地域情報を、前記携帯端末に送信する地域情報送信部を具備し、前記携帯端末は、前記情報処理装置から送信された地域情報を受信する地域情報受信部と、前記地域情報を蓄積する地域情報蓄積部と、位置情報を取得する位置情報取得部と、前記位置情報取得部が取得した位置情報が示す位置と一致するまたは所定以内の距離であると判断され得る位置情報を属性値として有する地域情報を読み出す地域情報取得部と、前記地域情報取得部が取得した地域情報を出力する地域情報出力部を具備する情報処理システムである。
【００１３】
かかる構成により、バス停の乗り場周辺に存在する情報端末に、バスの路線に関連する地域情報を提供できる。
【００１４】
また、本第二の発明の情報処理システムは、第一の発明に対して、前記携帯端末は、前記地域情報蓄積部が蓄積した地域情報であり、所定の条件に合致する地域情報を、削除する地域情報削除部をさらに具備する情報処理システムである。
【００１５】
かかる構成により、ユーザがバスに乗る際に地域情報を受信し、バス内に居る場合に限って情報を得ることができる、という空間限定のサービスを提供することができる。また、情報端末の記録媒体を有効利用できる。
【００１６】
また、本第三の発明の情報処理システムは、第二の発明に対して、前記携帯端末は、前記位置情報取得部が取得した位置情報の履歴から、前記地域情報を出力すべき位置を通過したか否かを判断する、または前記地域情報出力部が地域情報を出力したか否かを判断する削除判断部をさらに具備し、前記地域情報削除部は、前記削除判断部が前記地域情報を出力すべき位置を通過した、または前記地域情報出力部が地域情報を出力したと判断した場合に、当該地域情報を削除する情報処理システムである。
【００１７】
かかる構成により、ユーザがバスに乗る際に地域情報を受信し、バス内に居る場合に限って情報を得ることができる、という空間限定のサービスを提供することができる。また、情報端末の記録媒体を有効利用できる。
【００１８】
また、本第四の発明の情報処理システムは、第二の発明に対して、前記情報処理システムは、１以上のバス停の降り場周辺に設置された１以上の第二情報処理装置をさらに具備し、前記第二情報処理装置は、地域情報を削除する命令である削除命令を、近距離無線通信で前記携帯端末に送信する削除命令送信部を具備し、前記携帯端末は、前記削除命令を受信する削除命令受信部をさらに具備し、前記地域情報削除部は、前記削除命令受信部が削除命令を受信した場合に、前記地域情報を削除する情報処理システムである。
【００１９】
かかる構成により、ユーザがバスに乗る際に地域情報を受信し、バス内に居る場合に限って情報を得ることができる、という空間限定のサービスを提供することができる。また、情報端末の記録媒体を有効利用できる。
【００２０】
また、本第五の発明の情報処理システムは、第一から第四いずれかの発明に対して、前記情報処理システムは、バスに設置されており、バスの位置情報を受信するバス位置情報取得部と、前記バス位置情報取得部が受信した位置情報を増幅して前記バスの車内に送信するバス位置情報増幅部をさらに具備し、前記位置情報取得部は、前記バス位置情報増幅部が増幅して送信した位置情報を受信する情報処理システムである。
【００２１】
かかる構成により、携帯端末の位置を精度高く得ることができ、ユーザは適切な地域情報を得ることができる。
【００２２】
また、本第六の発明の情報処理システムは、第一から第五いずれかの発明に対して、前記地域情報は、当該地域情報の属性を示す地域属性情報を属性値として有し、前記携帯端末は、ユーザの嗜好に関する情報であるプロファイル情報を格納しているプロファイル情報格納部と、前記プロファイル情報と前記地域情報の地域属性情報を比較し、前記地域情報がユーザの嗜好に合致するか否かを判断する嗜好判断部をさらに具備し、前記嗜好判断部がユーザの嗜好に合致する、と判断した地域情報のみ出力する情報処理システムである。
【００２３】
かかる構成により、ユーザの嗜好に合致する地域情報を得ることができる。
【００２４】
また、本第七の発明の情報処理システムは、第一から第六いずれかの発明に対して、前記地域情報は、バスの路線に関する情報である路線情報を属性値として有し、前記情報処理システムは、バスに設置されているバス情報送信装置をさらに具備し、前記バス情報送信装置は、バスの路線を識別する情報であるバス路線識別子を格納しているバス路線識別子格納部と、前記バス路線識別子を送信するバス路線識別子送信部を具備し、前記情報処理装置は、前記バス情報送信装置からバス路線識別子を受信するバス路線識別子受信部と、前記バス路線識別子と地域情報の属性値である路線情報を用いて、前記地域情報格納部から地域情報を選択して取得する地域情報選択部をさらに具備し、前記地域情報送信部は、前記地域情報選択部が取得した地域情報を、近距離無線通信により前記携帯端末に送信する情報処理システムである。
【００２５】
かかる構成により、ユーザが乗り込むバスの路線に合致した地域情報を得ることができる。
【００２６】
また、本第八の発明の情報処理システムは、第一から第七いずれかの発明に対して、前記情報処理装置は、前記地域情報送信部が前記地域情報を送信した動作に関する情報である情報送信履歴を取得する情報送信履歴取得部と、前記情報送信履歴取得部が取得した情報送信履歴を出力する情報送信履歴出力部をさらに具備する情報処理システムである。
【００２７】
かかる構成により、地域情報の提供に関する情報を得ることができる。
【００２８】
また、本第九の発明の情報処理システムは、第一から第八いずれかの発明に対して、前記携帯端末は、前記地域情報出力部が地域情報を出力した動作に関する情報である情報出力履歴を取得する情報出力履歴取得部と、前記情報出力履歴取得部が取得した情報出力履歴を出力する情報出力履歴出力部をさらに具備する情報処理システムである。
【００２９】
かかる構成により、地域情報の出力に関する情報を得ることができる。
【００３０】
また、本第十の発明の情報処理システムは、第一から第九いずれかの発明に対して、前記情報処理装置は、地域情報を出力するプログラムを格納しているプログラム格納部と、近距離無線通信により前記プログラムを、前記携帯端末に送信するプログラム送信部をさらに具備し、前記携帯端末は、前記プログラムを受信するプログラム受信部と、前記プログラムを蓄積するプログラム蓄積部をさらに具備し、前記地域情報出力部は、前記プログラム蓄積部が蓄積したプログラムにより、地域情報を出力する情報処理システムである。
【００３１】
かかる構成により、地域情報と一緒に、当該地域情報を出力等するプログラムを提供できる。
【発明の効果】
【００３２】
本発明による情報処理システムによれば、バスの運行経路に合致した地域情報を取得できる。
【発明を実施するための最良の形態】
【００３３】
以下、情報処理システム等の実施形態について図面を参照して説明する。なお、実施の形態において同じ符号を付した構成要素は同様の動作を行うので、再度の説明を省略する場合がある。
（実施の形態１）
【００３４】
図１は、本実施の形態における情報処理システムの概念図である。本情報処理システムは、１以上の情報処理装置１１、１以上の第二情報処理装置１２、バス位置情報処理装置１３、携帯端末１４を具備する。
【００３５】
情報処理装置１１は、バス停の乗り場周辺に設置された装置であり、格納している地域情報を、近距離無線通信手段により携帯端末１４に送信する。
【００３６】
第二情報処理装置１２は、バス停の降り場周辺に設置された装置であり、地域情報を削除する指示である削除命令を、近距離無線通信手段により携帯端末１４に送信する。第二情報処理装置１２は、削除命令を予め格納している。
【００３７】
バス位置情報処理装置１３は、バスに設置されており、バスの位置情報を外部（衛星など）から取得し、バス内部に送信する。
【００３８】
携帯端末１４は、バスに乗車するユーザが保持している端末であり、地域情報を受信し、出力する端末である。
【００３９】
図２は、本実施の形態における情報処理システムのブロック図である。
【００４０】
情報処理システムは、情報処理装置１１、第二情報処理装置１２、バス位置情報処理装置１３、携帯端末１４を具備する。
【００４１】
情報処理装置１１は、地域情報格納部１１０１、地域情報送信部１１０２、プログラム格納部１１０３、プログラム送信部１１０４を具備する。
【００４２】
第二情報処理装置１２は、削除命令送信部１２０１を具備する。
【００４３】
バス位置情報処理装置１３は、バス位置情報取得部１３０１と、バス位置情報増幅部１３０２を具備する。
【００４４】
携帯端末１４は、受付部１４０１、地域情報受信部１４０２、地域情報蓄積部１４０３、プログラム受信部１４０４、プログラム蓄積部１４０５、位置情報取得部１４０６、地域情報取得部１４０７、地域情報出力部１４０８、削除命令受信部１４０９、地域情報削除部１４１０、プロファイル情報格納部１４１１、嗜好判断部１４１２を具備する。
【００４５】
地域情報格納部１１０１は、バス停の近隣またはバス停で停車するバスが運行する路線の近隣についての情報である地域情報を格納している。地域情報は、地名や住所などの現在地を示す情報や、その地域の名所や旧跡をガイドする情報や、近隣の商店の広告情報や、近隣のイベントの情報などである。また、地域情報は、当該地域情報が関連する位置（地域情報が店舗の広告であれば店舗の所在位置であり、地域情報が名所についての情報であれば当該名所の位置である。）を示す情報である位置情報を属性値として有する。位置情報は、経度と緯度の組の情報や、地域を識別するＩＤや、住所情報などである。地域情報のデータ構造は問わない。主として、地域情報は、位置情報を属性値として有するものとして説明するが、地域情報格納部１１０１は、地域情報と位置情報を対に格納していても良い。かかる場合、地域情報は位置情報を属性値として有さない。地域情報は、動画、静止画、テキスト、音声データ、楽音データなど、そのデータタイプは問わない。地域情報格納部１１０１は、不揮発性の記録媒体が好適であるが、揮発性の記録媒体でも実現可能である。
【００４６】
地域情報送信部１１０２は、近距離無線通信手段により地域情報を、携帯端末１４に送信する。近距離無線通信手段とは、例えば、ブルートゥース（登録商標）による通信手段や、ＩＲタグによる通信手段や、赤外線通信手段や、可視光による通信手段などである。地域情報送信部１１０２は、無線通信手段で実現され得る。
【００４７】
プログラム格納部１１０３は、地域情報を出力するプログラムを格納している。このプログラムは、地域情報を削除する等の処理を行っても良いことは言うまでもない。つまり、このプログラムは、地域情報を処理するプログラムである。ここで処理とは、表示、送信、蓄積、削除などである。プログラム格納部１１０３は、不揮発性の記録媒体が好適であるが、揮発性の記録媒体でも実現可能である。地域情報格納部１１０１とプログラム格納部１１０３は、一の記録媒体であっても良いし、異なる２つの記録媒体であっても良い。
【００４８】
プログラム送信部１１０４は、近距離無線通信手段によりプログラムを、携帯端末１４に送信する。プログラム送信部１１０４と地域情報送信部１１０２は、一の送信手段であっても良いし、異なる２つの送信手段であっても良い。プログラム送信部１１０４は、無線通信手段で実現され得る。
【００４９】
削除命令送信部１２０１は、地域情報を削除する命令である削除命令を、近距離無線通信手段により携帯端末１４に送信する。ここでの近距離無線通信手段も、上述したように、ブルートゥースによる通信手段や、ＩＲタグや、赤外線通信手段などである。削除命令は、予め格納されている。削除命令送信部１２０１は、無線通信手段で実現され得る。
【００５０】
バス位置情報取得部１３０１は、バスに設置されており、バスの位置情報を受信する。位置情報は、通常、バスが運行している経度、緯度の情報を有する。また、バス位置情報取得部１３０１は、例えば、ＧＰＳ受信機である。
【００５１】
バス位置情報増幅部１３０２は、バス位置情報取得部１３０１が受信した位置情報を増幅してバスの車内に送信する。バス位置情報増幅部１３０２は、ＧＰＳ増幅器で実現され得る。
【００５２】
受付部１４０１は、ユーザの指示を受け付ける。ユーザの指示とは、地域情報を出力する出力指示や、一の地域情報の出力を他の地域情報の出力に切り替える出力切替指示や、地域情報の出力を停止する（非出力の状態にする）停止指示などである。出力指示などの指示の入力手段は、テンキーやメニュー画面によるもの等、何でも良い。受付部１４０１は、テンキー等の入力手段のデバイスドライバーや、メニュー画面の制御ソフトウェア等で実現され得る。
【００５３】
地域情報受信部１４０２は、情報処理装置１１から送信された地域情報を受信する。地域情報受信部１４０２は、近距離無線通信手段により、地域情報を受信する。地域情報受信部１４０２は、無線通信手段で実現され得る。
【００５４】
地域情報蓄積部１４０３は、地域情報受信部１４０２が受信した地域情報を蓄積する。地域情報蓄積部１４０３は、通常、自ら有する記録媒体に地域情報を蓄積する。なお、地域情報蓄積部１４０３は、嗜好判断部１４１２がユーザの嗜好に合致すると判断した地域情報のみを蓄積することは好適である。かかるフィルタリング処理については後述する。地域情報蓄積部１４０３は、通常、ＭＰＵやメモリ等から実現され得る。地域情報蓄積部１４０３の処理手順は、通常、ソフトウェアで実現され、当該ソフトウェアはＲＯＭ等の記録媒体に記録されている。但し、ハードウェア（専用回路）で実現しても良い。
【００５５】
プログラム受信部１４０４は、プログラムを受信する。本プログラムは、地域情報を出力するプログラムである。また、本プログラムは、地域情報を削除したり、フィルタリングしたりするプログラムである。つまり、本プログラムは、地域情報を処理するプログラムである。プログラム受信部１４０４は、近距離無線通信手段で実現され得る。なお、通常、地域情報受信部１４０２とプログラム受信部１４０４は、一の通信手段で実現される。また、プログラムと地域情報は、連続して受信されることは好適である。
【００５６】
プログラム蓄積部１４０５は、プログラム受信部１４０４が受信したプログラムを蓄積する。なお、携帯端末１４が地域情報を出力したり、削除しなり、フィルタリングしたりする処理は、プログラム蓄積部１４０５が蓄積したプログラムにより実現されることは好適である。なお、地域情報を処理するプログラムは、予め携帯端末１４が保持していても良い。かかる場合、プログラム受信部１４０４とプログラム蓄積部１４０５は不要となる。プログラム蓄積部１４０５は、通常、ＭＰＵやメモリ等から実現され得る。プログラム蓄積部１４０５の処理手順は、通常、ソフトウェアで実現され、当該ソフトウェアはＲＯＭ等の記録媒体に記録されている。但し、ハードウェア（専用回路）で実現しても良い。
【００５７】
位置情報取得部１４０６は、位置情報を取得する。位置情報取得部１４０６は、バス位置情報増幅部１３０２が増幅して送信した位置情報を受信することは好適である。位置情報取得部１４０６は、ＧＰＳ受信機や、無線通信手段などで実現され得る。
【００５８】
地域情報取得部１４０７は、位置情報取得部１４０６が取得した位置情報が示す位置と一致するまたは所定以内の距離であると判断され得る位置情報を属性値として有する地域情報を読み出す。読み出す地域情報は、地域情報蓄積部１４０３が蓄積した地域情報である。地域情報取得部は１４０７、通常、ＭＰＵやメモリ等から実現され得る。地域情報取得部１４０７の処理手順は、通常、ソフトウェアで実現され、当該ソフトウェアはＲＯＭ等の記録媒体に記録されている。但し、ハードウェア（専用回路）で実現しても良い。
【００５９】
地域情報出力部１４０８は、地域情報取得部１４０７が取得した地域情報を出力する。地域情報出力部１４０８は、通常、プログラム蓄積部１４０５が蓄積したプログラムを実行することにより、地域情報取得部１４０７が取得した地域情報を出力する。ここで、出力とは、ディスプレイへの表示、プリンタへの印字、音出力、外部の装置への送信等を含む概念である。地域情報出力部１４０８は、ディスプレイやスピーカー等の出力デバイスを含むと考えても含まないと考えても良い。地域情報出力部１４０８は、出力デバイスのドライバーソフトまたは、出力デバイスのドライバーソフトと出力デバイス等で実現され得る。
【００６０】
削除命令受信部１４０９は、地域情報を削除する命令である削除命令を受信する。削除命令の構造は問わない。削除命令受信部１４０９は、近距離無線通信手段により実現され得る。
【００６１】
地域情報削除部１４１０は、所定の条件に合致した場合、地域情報蓄積部１４０３が蓄積した地域情報を削除する。ここでは、所定の条件とは、削除命令受信部１４０９が削除命令を受信したことであり、削除する地域情報は、すべての地域情報である。つまり、地域情報削除部１４１０は、削除命令受信部１４０９が削除命令を受信した場合に、蓄積している地域情報を削除する。地域情報削除部１４１０は、通常、ＭＰＵやメモリ等から実現され得る。地域情報削除部１４１０の処理手順は、通常、ソフトウェアで実現され、当該ソフトウェアはＲＯＭ等の記録媒体に記録されている。但し、ハードウェア（専用回路）で実現しても良い。
【００６２】
プロファイル情報格納部１４１１は、ユーザの嗜好に関する情報であるプロファイル情報を格納している。プロファイル情報は、ユーザの年齢や性別などのユーザの属性値でも良いし、ユーザが欲する地域情報を識別する情報（例えば、店舗の広告を示す「店舗情報」や、名所を示す「名所情報」など）でも良い。プロファイル情報格納部１４１１は、不揮発性の記録媒体が好適であるが、揮発性の記録媒体でも実現可能である。
【００６３】
嗜好判断部１４１２は、プロファイル情報と地域情報の地域属性情報を比較し、地域情報がユーザの嗜好に合致するか否かを判断する。通常、地域情報蓄積部１４０３は、嗜好判断部１４１２がユーザの嗜好に合致するか否かを判断した地域情報のみを蓄積する。また、地域情報出力部１４０８が、嗜好判断部１４１２がユーザの嗜好に合致するか否かを判断した地域情報のみを出力しても良い。嗜好判断部１４１２は、通常、ＭＰＵやメモリ等から実現され得る。嗜好判断部１４１２の処理手順は、通常、ソフトウェアで実現され、当該ソフトウェアはＲＯＭ等の記録媒体に記録されている。但し、ハードウェア（専用回路）で実現しても良い。
【００６４】
次に、情報処理装置１１の動作について説明する。情報処理装置１１の地域情報送信部１１０２は、地域情報格納部１１０１から地域情報を読み出し、近距離無線通信で、携帯端末１４に地域情報を送信する。また、情報処理装置１１のプログラム送信部１１０４は、プログラム格納部１１０３からプログラムを読み出し、近距離無線通信で、携帯端末１４にプログラムを送信する。
【００６５】
次に、第二情報処理装置１２の動作について説明する。第二情報処理装置１２の削除命令送信部１２０１は、近距離無線通信で、携帯端末１４に削除命令を送信する。
【００６６】
次に、バス位置情報処理装置１３の動作について説明する。バス位置情報処理装置１３のバス位置情報取得部１３０１は、バス位置情報を受信し、バス位置情報増幅部１３０２は、当該バス位置情報を増幅して、バスの車内に送信する。
【００６７】
次に、携帯端末１４の動作について図３のフローチャートを用いて説明する。
【００６８】
（ステップＳ３０１）地域情報受信部１４０２は、地域情報を受信したか否かを判断する。地域情報を受信すればステップＳ３０２に行き、地域情報を受信しなければステップＳ３０７に行く。
【００６９】
（ステップＳ３０２）嗜好判断部１４１２は、カウンタｉに１を代入する。
【００７０】
（ステップＳ３０３）嗜好判断部１４１２は、ステップＳ３０１で受信した地域情報の中に、ｉ番目の地域情報が存在するか否かを判断する。ｉ番目の地域情報が存在すればステップＳ３０４に行き、ｉ番目の地域情報が存在しなければステップＳ３０１に戻る。
【００７１】
（ステップＳ３０４）嗜好判断部１４１２は、ｉ番目の地域情報の属性値と、プロファイル情報格納部１４１１のプロファイル情報を比較し、ｉ番目の地域情報が嗜好に合致するか否かを判断する。ｉ番目の地域情報が嗜好に合致すると判断すればステップＳ３０５に行き、ｉ番目の地域情報が嗜好に合致しないと判断すればステップＳ３０６に行く。
【００７２】
（ステップＳ３０５）地域情報蓄積部１４０３は、ｉ番目の地域情報を蓄積する。
【００７３】
（ステップＳ３０６）嗜好判断部１４１２は、カウンタｉを１、インクリメントし、ステップＳ３０３に戻る。
【００７４】
（ステップＳ３０７）プログラム受信部１４０４は、プログラムを受信したか否かを判断する。プログラムを受信すればステップＳ３０８に行き、プログラムを受信しなければステップＳ３１０に行く。
【００７５】
（ステップＳ３０８）プログラム蓄積部１４０５は、携帯端末１４内に、既にプログラム（地域情報を処理するプログラム）が存在するか否かを判断する。既にプログラムが存在すればステップＳ３０１に戻り、プログラムが存在しなければステップＳ３０９に行く。
【００７６】
（ステップＳ３０９）プログラム蓄積部１４０５は、ステップＳ３０７で受信したプログラムを蓄積する。そして、プログラム蓄積部１４０５は、蓄積したプログラムを動作可能な状態にする（インストールなどをする）。ステップＳ３０１に戻る。
【００７７】
（ステップＳ３１０）位置情報取得部１４０６は、バス位置情報増幅部１３０２から位置情報を受信したか否かを判断する。位置情報を受信すればステップＳ３１１に行き、位置情報を受信しなければステップＳ３１３に行く。
【００７８】
（ステップＳ３１１）地域情報取得部１４０７は、ステップＳ３１０で受信した位置情報が示す位置と一致するまたは所定以内の距離であると判断され得る位置情報を属性値として有する地域情報を選択して、読み出す。
【００７９】
（ステップＳ３１２）地域情報出力部１４０８は、ステップＳ３１１で取得した地域情報を出力する。ステップＳ３０１に戻る。
【００８０】
（ステップＳ３１３）削除命令受信部１４０９は、地域情報を削除する命令である削除命令を受信したか否かを判断する。削除命令を受信すればステップＳ３１４に行き、削除命令を受信しなければステップＳ３１５に行く。
【００８１】
（ステップＳ３１４）地域情報削除部１４１０は、地域情報蓄積部１４０３が蓄積した地域情報を削除する。ステップＳ３０１に戻る。
【００８２】
（ステップＳ３１５）受付部１４０１は、ユーザの指示を受け付けたか否かを判断する。指示を受け付ければステップＳ３１６に行き、指示を受け付けなければステップＳ３０１に戻る。
【００８３】
（ステップＳ３１６）携帯端末１４は、ステップＳ３１５で受け付けた指示に応じた処理を行う。ステップＳ３０１に戻る。
【００８４】
なお、図３のフローチャートにおいて、電源オフや処理終了の割り込みにより処理は終了する。
【００８５】
以下、本実施の形態における情報処理システムの具体的な動作について説明する。情報処理システムの概念図は図１である。
【００８６】
まず、情報処理装置１１がバスのある停留所の乗り口周辺に設置されている。また、第二情報処理装置１２は、バス停の降り口周辺に設置されている。
【００８７】
また、情報処理装置１１の地域情報格納部１１０１には、図４に示す地域情報管理表が格納されている。地域情報管理表は、「ＩＤ」と「地域情報」を有するレコードを多数保持している。「地域情報」は、「内容情報」「内容種別」「位置情報」を有する。「内容情報」は、地域情報の内容であり、携帯端末１４で出力される情報である。「内容種別」は、内容情報の種類を示す情報であり、「広告」「地名」「名所」などの値を採りえる。ここで、「広告」は広告情報である。「地名」は地名を示す情報である。「名所」は名所の説明を構成する情報である。「位置情報」は、内容情報で説明される対象物（店舗や名所や地名が示す土地など）の位置を示す情報であり、ここでは、緯度（ｘ）、経度（ｙ）を有する。
【００８８】
かかる場合、ユーザは携帯端末１４を保持している、とする。また、このユーザは、京都の観光客であり、「名所」および「地名」というプロファイル情報を、携帯端末１４に設定し、プロファイル情報格納部１４１１には、「名所」および「地名」というプロファイル情報が格納されている、とする。ユーザは、例えば、携帯端末１４の画面に表示されたメニューの選択によりプロファイル情報を入力する、とする。
【００８９】
かかる状況において、ユーザは携帯端末１４を持って、一のバス停に到着した、とする。
【００９０】
そして、地域情報送信部１１０２は、地域情報格納部１１０１から図４に示す地域情報を読み出し、近距離無線通信により携帯端末１４に送信する。また、プログラム送信部１１０４は、プログラム格納部１１０３からプログラムを取得し、携帯端末１４に送信する。
【００９１】
次に、携帯端末１４の地域情報受信部１４０２は、地域情報送信部１１０２が送信した地域情報を、近距離無線通信により受信する。
【００９２】
次に、嗜好判断部１４１２は、プロファイル情報格納部１４１１のプロファイル情報「名所」および「地名」を読み出す。そして、嗜好判断部１４１２は、「内容種別」として、「名所」および「地名」を有する地域情報のみを取得する。そして、地域情報蓄積部１４０３は、嗜好判断部１４１２が嗜好に合致するとして取得した地域情報のみを蓄積する。この地域情報を、図５に示す。
【００９３】
次に、ユーザは、携帯端末１４を持って、バス停に到着したバスに乗り込む、とする。このバスは、バスの外部にＧＰＳ受信機能を有するバス位置情報取得部１３０１を有し、バス内部にバス位置情報増幅部１３０２を有する。
【００９４】
そして、ユーザの携帯端末１４の位置情報取得部１４０６は、バスの移動にしたがって、次々と、位置情報を受信する。
【００９５】
そして、ここで、位置情報取得部１４０６は、位置情報（Ａ，Ｂ）を受信した、とする。ここで、位置情報（Ａ，Ｂ）の「Ａ」は緯度、「Ｂ」は経度とする。
【００９６】
次に、地域情報取得部１４０７は、位置情報（Ａ，Ｂ）と一定以内の距離の位置情報と対になる内容情報を図５の地域情報から取得する。ここで、このバスは、祇園近くを運行しており、地域情報取得部１４０７は、図５の「ＩＤ＝３」の内容情報を読み出す、とする。
【００９７】
そして、地域情報出力部１４０８は、映像（静止画または動画）を、携帯端末１４のディスプレイに表示し、文字列を音声合成し、音声出力する、とする。ユーザは、ヘッドフォンを用いて、携帯端末１４から音声出力される音声を聞くことは好適である。かかる地域情報の出力例を図６に示す。なお、地域情報は、音声データであり、地域情報出力部１４０８は、当該音声データを出力する構成でも良いことは言うまでもない。
【００９８】
以上のように、バスの運行にしたがって、バスが通過する地点に近い地域情報を、携帯端末１４は出力できる。そして、ユーザは、バスの運行中、バスの路線の情報を得ることができる。
【００９９】
次に、ユーザは、携帯端末１４を持って、あるバス停で、バスを降りた、とする。
【０１００】
そして、ユーザが降りたバス停の降り口に設置された第二情報処理装置１２の削除命令送信部１２０１は、格納している削除命令「ｄｅｌｅｔｅ  地域情報」を読み出し、送信する。
【０１０１】
次に、携帯端末１４の削除命令受信部１４０９は、削除命令「ｄｅｌｅｔｅ  地域情報」を受信する。そして、地域情報削除部１４１０は、削除命令「ｄｅｌｅｔｅ  地域情報」を解釈し、図５の地域情報（蓄積している地域情報）を削除する。
【０１０２】
以上、本実施の形態によれば、ユーザがバスに乗る際に地域情報を受信し、バスを降りる場合に地域情報が削除されることにより、バス内に居る場合に限って情報を得ることができる、という空間限定のサービスを、情報提供側が提供することができる。また、ユーザにとって、必要性が小さくなった地域情報を携帯端末１４に残すことなく、携帯端末１４の記録媒体を有効に利用できる。
【０１０３】
また、バス内にＧＰＳ増幅器を設けることにより、ユーザの位置に精度高く対応した情報をユーザに提示できる。
【０１０４】
なお、本実施の形態によれば、バス停の降り場付近に設けられた第二情報処理装置１２からの削除命令により、地域情報が削除された。しかし、実施の形態２で述べるように、携帯端末１４が通過した地点の地域情報を順次削除するようにしても良い。かかる場合でも、バスを降りる際には、携帯端末１４に地域情報が残っていることがなく、好適である。
【０１０５】
また、本実施の形態によれば、
【０１０６】
さらに、本実施の形態における各装置の処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における携帯端末を実現するソフトウェアは、以下のようなプログラムである。つまり、このプログラムは、コンピュータに、地域情報を受信する地域情報受信ステップと、前記地域情報を蓄積する地域情報蓄積ステップと、位置情報を取得する位置情報取得ステップと、前記位置情報取得ステップで取得した位置情報が示す位置と一致するまたは所定以内の距離であると判断され得る位置情報を属性値として有する地域情報を読み出す地域情報取得ステップと、前記地域情報取得ステップで取得した地域情報を出力する地域情報出力ステップを実行させるためのプログラム、である。
【０１０７】
また、上記プログラムにおいて、コンピュータに、前記地域情報蓄積ステップで蓄積した地域情報であり、所定の条件に合致する地域情報を、削除する地域情報削除ステップをさらに実行させることは好適である。
【０１０８】
また、上記プログラムにおいて、コンピュータに、削除命令を受信する削除命令受信ステップをさらに具備し、前記地域情報削除ステップにおいて、前記削除命令受信ステップで削除命令を受信した場合に、前記地域情報を削除することは好適である。
【０１０９】
また、上記プログラムにおいて、前記位置情報取得ステップにおいて、バスに設置されているバス位置情報増幅部が増幅して送信した位置情報を受信することは好適である。
【０１１０】
また、上記プログラムにおいて、コンピュータに、プロファイル情報と地域情報の地域属性情報を比較し、前記地域情報がユーザの嗜好に合致するか否かを判断する嗜好判断ステップをさらに実行させ、前記嗜好判断ステップでユーザの嗜好に合致する、と判断した地域情報のみ出力することは好適である。
（実施の形態２）
【０１１１】
図７は、本実施の形態における情報処理システムの概念図である。本情報処理システムは、１以上の情報処理装置７１、バス位置情報処理装置１３、バス情報送信装置７２、携帯端末７４を具備する。
【０１１２】
情報処理装置７１は、バス停の乗り場周辺に設置された装置であり、格納している地域情報を、近距離無線通信手段により携帯端末７４に送信する。情報処理装置７１は、携帯端末７４に送信した地域情報についての履歴を示す情報である履歴情報を生成し、管理する。この履歴情報は、図示しない装置により、分析され、マーケティング等に利用されたり、広告主に対する課金のために利用されたりする。履歴情報は、例えば、地域情報が携帯端末７４に送信された回数や、送信された時刻や、送信した携帯端末７４を保持したユーザが乗車したバスの識別子またはバスの経路の識別子などの情報のうちの１以上の情報を有する。
【０１１３】
バス情報送信装置７２は、バスの外部または内部に設置されており、バス路線識別子を送信する。バスの外部とは、例えば、バスの乗り口のドアの外側や、バスの乗り口近くのバスの筺体の外側（外に面した側）などである。バスの内部とは、バスの乗り口のドアの内部や、バスの乗り口付近の内部が望ましい。
【０１１４】
携帯端末７４は、バスに乗車するユーザが保持している端末であり、地域情報を受信し、出力する端末である。携帯端末７４において、受信して蓄積した地域情報は、バスが運行中に、ある地域や地点を通過した後、当該通過した地域や地点に対応する地域情報が削除される。
【０１１５】
図８は、本実施の形態における情報処理システムのブロック図である。
【０１１６】
情報処理システムは、１以上の情報処理装置７１、バス位置情報処理装置１３、バス情報送信装置７２、携帯端末７４を具備する。
【０１１７】
情報処理装置７１は、地域情報格納部１１０１、バス路線識別子受信部７１０１、地域情報選択部７１０２、地域情報送信部７１０３、情報送信履歴取得部７１０４、情報送信履歴出力部７１０５を具備する。
【０１１８】
バス情報送信装置７２は、バス路線識別子格納部７２０１、バス路線識別子送信部７２０２を具備する。
【０１１９】
携帯端末７４は、受付部１４０１、地域情報受信部１４０２、地域情報蓄積部１４０３、位置情報取得部１４０６、地域情報取得部１４０７、地域情報出力部１４０８、削除判断部７４０１、地域情報削除部７４０２を具備する。
【０１２０】
バス路線識別子受信部７１０１は、バス情報送信装置７２からバス路線識別子を受信する。バス路線識別子とは、バスの路線を識別する情報である。また、バス路線識別子とは、バスを識別する情報であり、バスを識別する結果、バスの路線を識別できる情報でも良い。バス路線識別子受信部７１０１は、ブルートゥース等の近距離無線通信手段で実現され得る。
【０１２１】
地域情報選択部７１０２は、バス路線識別子と地域情報の属性値である路線情報を用いて、地域情報格納部１１０１から地域情報を選択して取得する。ここで、地域情報格納部１１０１の地域情報は、バスの路線に関する情報である路線情報を属性値として有する。また、地域情報は、位置情報を属性値として有する。地域情報選択部７１０２は、通常、ＭＰＵやメモリ等から実現され得る。地域情報選択部７１０２の処理手順は、通常、ソフトウェアで実現され、当該ソフトウェアはＲＯＭ等の記録媒体に記録されている。但し、ハードウェア（専用回路）で実現しても良い。
【０１２２】
地域情報送信部７１０３は、地域情報選択部７１０２が取得した地域情報を、近距離無線通信により携帯端末７４に送信する。地域情報送信部７１０３は、近距離無線通信手段で実現され得る。
【０１２３】
情報送信履歴取得部７１０４は、地域情報送信部７１０３が地域情報を送信した動作に関する情報である情報送信履歴を取得する。情報送信履歴は、例えば、地域情報を送信した回数や、送信した時刻、地域情報を送信した携帯端末７４を保持しているユーザが乗車したバスのバス路線識別子などである。情報送信履歴取得部７１０４は、通常、ＭＰＵやメモリ等から実現され得る。情報送信履歴取得部７１０４の処理手順は、通常、ソフトウェアで実現され、当該ソフトウェアはＲＯＭ等の記録媒体に記録されている。但し、ハードウェア（専用回路）で実現しても良い。
【０１２４】
情報送信履歴出力部７１０５は、情報送信履歴取得部７１０４が取得した情報送信履歴を出力する。ここで、出力とは、ディスプレイへの表示、プリンタへの印字、音出力、外部の装置への送信、記録媒体への蓄積等を含む概念である。情報送信履歴出力部７１０５は、出力デバイスを含むと考えても含まないと考えても良い。情報送信履歴出力部７１０５は、出力デバイスのドライバーソフトまたは、出力デバイスのドライバーソフトと出力デバイス等で実現され得る。
【０１２５】
バス路線識別子格納部７２０１は、バスの路線を識別する情報であるバス路線識別子を格納している。バス路線識別子は、バスを識別する情報でも良い。バス路線識別子格納部７２０１は、不揮発性の記録媒体が好適であるが、揮発性の記録媒体でも実現可能である。
【０１２６】
バス路線識別子送信部７２０２は、バス路線識別子格納部７２０１のバス路線識別子を読み出し、送信する。バス路線識別子送信部７２０２は、通常、情報処理装置７１にバス路線識別子を送信する。バス路線識別子送信部７２０２は、近距離無線通信手段で実現され得る。
【０１２７】
削除判断部７４０１は、位置情報取得部１４０６が取得した位置情報の履歴から、地域情報を出力すべき位置を通過したか否かを判断する、または地域情報出力部１４０８が地域情報を出力したか否かを判断する。位置情報の履歴から判断するとは、１つの位置から判断することも含む。つまり、削除判断部７４０１は、バスが通過した地点や地域に対応する位置情報を、地域情報が出力すべき位置を通過したか否かを判断する。削除判断部７４０１は、通常、ＭＰＵやメモリ等から実現され得る。削除判断部７４０１の処理手順は、通常、ソフトウェアで実現され、当該ソフトウェアはＲＯＭ等の記録媒体に記録されている。但し、ハードウェア（専用回路）で実現しても良い。
【０１２８】
地域情報削除部７４０２は、地域情報蓄積部１４０３が蓄積した地域情報であり、所定の条件に合致する地域情報を、削除する。ここでは、地域情報削除部７４０２は、削除判断部７４０１が地域情報を出力すべき位置を通過した、または地域情報出力部１４０８が地域情報を出力したと判断した場合に、当該地域情報を削除する。地域情報削除部７４０２は、通常、ＭＰＵやメモリ等から実現され得る。地域情報削除部７４０２の処理手順は、通常、ソフトウェアで実現され、当該ソフトウェアはＲＯＭ等の記録媒体に記録されている。但し、ハードウェア（専用回路）で実現しても良い。
【０１２９】
次に、情報処理装置７１の動作について、図９のフローチャートを用いて説明する。
【０１３０】
（ステップＳ９０１）バス路線識別子受信部７１０１は、バス路線識別子を受信したか否かを判断する。バス路線識別子を受信すればステップＳ９０２に行き、バス路線識別子を受信しなければステップＳ９０１に戻る。
【０１３１】
（ステップＳ９０２）地域情報選択部７１０２は、ステップＳ９０１で受信したバス路線識別子を用いて、地域情報格納部１１０１から地域情報を選択して取得する。本処理により、バス路線識別子で識別されるバスの路線やバスが通過する地点、地域に関する地域情報のみが選択される。
【０１３２】
（ステップＳ９０３）地域情報送信部７１０３は、ステップＳ９０２で選択した地域情報を携帯端末７４に送信する。なお、ここで、バスに設置されているバス情報送信装置７２からバス路線識別子を受信したことをトリガーとして、地域情報送信部７１０３は、地域情報を携帯端末７４に送信している。したがって、ここでは、バスに乗車するユーザ限定の情報サービスを提供している、こととなる。
【０１３３】
（ステップＳ９０４）情報送信履歴取得部７１０４は、ステップＳ９０１で受信したバス路線識別子を取得する。
【０１３４】
（ステップＳ９０５）情報送信履歴取得部７１０４は、ステップＳ９０３で地域情報送信部７１０３が地域情報を送信した時刻を取得する。この時刻は、情報処理装置７１が保持している時計（図示しない）から取得しても良いし、外部の装置から時刻を取得しても良い。
【０１３５】
（ステップＳ９０６）情報送信履歴取得部７１０４は、ステップＳ９０４で取得したバス路線識別子、ステップＳ９０５で取得した時刻を用いて、情報送信履歴を構成する。なお、情報送信履歴は、送信した地域情報を識別する情報を含むことは言うまでもない。
【０１３６】
（ステップＳ９０７）情報送信履歴出力部７１０５は、ステップＳ９０６で構成した情報送信履歴を出力する。ここでの出力は、図示しない情報処理装置７１が保持している記録媒体への蓄積や、外部装置への送信であることが好適である。
【０１３７】
なお、図９のフローチャートにおいて、情報送信履歴は、地域情報を識別する情報、バス路線識別子、時刻を有したが、地域情報を識別する情報のみでも良いし、地域情報を識別する情報と時刻のみでも良いし、その他、地域情報の送信履歴に関する情報であれば良い。
【０１３８】
また、図９のフローチャートにおいて、電源オフや処理終了の割り込みにより処理は終了する。
【０１３９】
次に、バス情報送信装置７２の動作について説明する。バス情報送信装置７２のバス路線識別子送信部７２０２は、バス路線識別子格納部７２０１のバス路線識別子を読み出し、送信する。例えば、バスの乗車口のオープン（バスの運転手がオープンのボタンを押すなどで操作した結果）をトリガーとして、バス路線識別子は送信される。かかる場合、バス情報送信装置７２は、バスの乗車口のオープンの指示を受け付ける指示受付部をも具備する。
【０１４０】
次に、携帯端末７４の動作について、図１０のフローチャートを用いて説明する。図１０のフローチャートにおいて、図３のフローチャートと同一のステップについては説明を省略する。
【０１４１】
（ステップＳ１００１）削除判断部７４０１は、位置情報取得部１４０６が取得した位置情報を用いて、削除する地域情報を決定する。つまり、具体的には、例えば、削除判断部７４０１は、位置情報取得部１４０６が取得した位置情報と、所定以内の距離にある位置情報を属性値として有する地域情報を削除する地域情報として決定する。
【０１４２】
（ステップＳ１００２）地域情報削除部７４０２は、地域情報蓄積部１４０３が蓄積した地域情報であり、ステップＳ１００１で削除すると決定した地域情報を削除する。
【０１４３】
なお、図１０のフローチャートにおいて、削除判断部７４０１が地域情報を削除するか否かを判断するタイミングは、位置情報を受信したタイミングであるとは限らない。削除判断部７４０１は、定期的に（例えば、３分おきに）、地域情報を削除するか否かを判断しても良い。かかる場合、位置情報取得部１４０６が取得した２以上の位置情報を用いて、バスの運行経路を判断し、バスの運行経路から、通過した位置に対応する地域情報を削除する、ことが好適である。
【０１４４】
また、図１０のフローチャートにおいて、電源オフや処理終了の割り込みにより処理は終了する。
【０１４５】
以下、本実施の形態における情報処理システムの具体的な動作について説明する。情報処理システムの概念図は図７である。
【０１４６】
まず、情報処理装置７１があるバスの停留所の乗り口周辺に設置されている。
【０１４７】
また、情報処理装置７１の地域情報格納部１１０１には、図１１に示す地域情報管理表が格納されている。地域情報管理表は、「ＩＤ」と「地域情報」を有するレコードを多数保持している。「地域情報」は、「内容情報」「バス路線識別子」「位置情報」を有する。「内容情報」は、地域情報の内容であり、携帯端末７４で出力される情報である。「バス路線識別子」は、バスの路線を識別する情報である。属性値「バス路線識別子」は、２以上のバス路線識別子を有することができる。属性値「バス路線識別子」が、２以上のバス路線識別子を有する場合、属性値「バス路線識別子」に対応する内容情報は２以上のバスの路線の地域情報であることを示す。「位置情報」は、内容情報で説明される対象物（店舗や名所や地名が示す土地など）の位置を示す情報であり、ここでは、緯度（ｘ）、経度（ｙ）を有する。
【０１４８】
かかる場合、ユーザは携帯端末７４を保持して、バスの停留所で、バスを待っている、とする。そして、バス情報送信装置７２を乗車口の付近に具備しているバスが、その停留所で停車し、バスの運転手がバスの乗車口のドアを開いた、とする。そして、ドアのオープンをトリガーとして、バス情報送信装置７２のバス路線識別子送信部７２０２は、バス路線識別子格納部７２０１のバス路線識別子「１７」を読み出し、送信する。なお、バス情報送信装置７２がバスのオープンの信号を取得することは公知の技術であり、詳細な説明を省略する。
【０１４９】
次に、情報処理装置７１のバス路線識別子受信部７１０１は、バス路線識別子送信部７２０２が送信したバス路線識別子「１７」を受信する。そして、地域情報選択部７１０２は、バス路線識別子「１７」をキーとして、図１１の地域情報管理表を検索し、バス路線識別子「１７」を含むレコードを取得する。そして、地域情報選択部７１０２は、図１２の選択した地域情報を得る。選択した地域情報は、「ＩＤ」「内容情報」「位置情報」を有するレコードである。次に、地域情報送信部７１０３は、図１２の選択した地域情報を、携帯端末７４に送信する。ここで、地域情報送信部７１０３は、地域情報を、２以上の携帯端末７４に送信し得る、とする。ここでは、地域情報送信部７１０３は、５つの携帯端末７４に送信した、とする。地域情報送信部７１０３は、地域情報を送信したのち、その地域情報を受信した携帯端末７４から、受信した旨の信号を受信するとする。その信号の受信により、情報処理装置７１は、いくつの携帯端末７４に、地域情報を送信したかが分かる。
【０１５０】
次に、情報送信履歴取得部７１０４は、バス路線識別子「１７」を取得する。そして、情報送信履歴取得部７１０４は、地域情報を送信した時刻「２００６／２／２４  １８：００」を取得する。そして、情報送信履歴取得部７１０４は、送信した地域情報のＩＤ「１」「２」「４」などを取得する。そして、送信した地域情報のＩＤ、地域情報を送信した携帯端末７４の数「５」、バス路線識別子「１７」、送信した時刻「２００６／２／２４  １８：００」を用いて、情報送信履歴を構成する。そして、情報送信履歴出力部７１０５は、構成した情報送信履歴を蓄積する。かかる蓄積した情報送信履歴の例（情報送信履歴管理表の例）を図１３に示す。図１３において、「ＩＤ」「受信端末数」「バス路線識別子」「時刻」を属性値として有するレコードを１以上保持している。「ＩＤ」は、送信した地域情報のＩＤである。「受信端末数」は、地域情報を受信した携帯端末７４の数である。
【０１５１】
かかる情報送信履歴を処理し、情報提供側は、広告料を決定したり、マーケッティングを行ったりする。
【０１５２】
次に、５つの携帯端末７４の地域情報受信部１４０２は、図１２の地域情報を受信し、地域情報蓄積部１４０３は地域情報を蓄積する。次に、携帯端末７４のユーザは、バスに乗り込む。そして、バスの運行に対応して、バス位置情報処理装置１３のバス位置情報取得部１３０１がバスの位置情報を取得し、バス位置情報増幅器１３０２はバスの位置情報を増幅して、バスの車内の携帯端末７４に送信する。
【０１５３】
次に、携帯端末７４の位置情報取得部１４０６は、位置情報（Ａ，Ｂ）を受信する、とする。そして、携帯端末７４の地域情報取得部１４０７は、受信した位置情報（Ａ，Ｂ）が示す位置と所定の距離内の位置を示す位置情報を有する地域情報を読み出す。読み出した地域情報は、図１２の地域情報の中の、「ＩＤ＝１」「ＩＤ＝２」の地域情報である、とする。
【０１５４】
次に、地域情報出力部１４０８は、地域情報取得部１４０７が読み出した「ＩＤ＝１」「ＩＤ＝２」の地域情報を出力する。そして、地域情報出力部１４０８は、「ＩＤ＝１」「ＩＤ＝２」の地域情報を同時に、または順次出力する。ここで、地域情報出力部１４０８の出力例を図１４に示す。図１４において、「ＩＤ＝１」の地域情報のみを出力している。
【０１５５】
そして、次に、削除判断部７４０１は、位置情報（Ａ，Ｂ）を、メモリ上に一時格納する。そして、削除判断部７４０１は、メモリ上に一時格納した位置情報（Ａ，Ｂ）から、すでに通過した地点に対応する地域情報か否かを判断する。ここで、既に通過した地域情報は存在しないと判断する。
【０１５６】
そして、次に、位置情報取得部１４０６が、位置情報（Ｃ，Ｄ）を受信し、上記と同様の地域情報の出力処理を行った、とする。
【０１５７】
そして、削除判断部７４０１は、位置情報（Ｃ，Ｄ）を、メモリ上に一時格納する。そして、削除判断部７４０１は、メモリ上に一時格納した位置情報（Ａ，Ｂ）、および（Ｃ，Ｄ）から、位置情報（Ａ，Ｂ）に対応する地域情報を削除しても良いと判断する。つまり、削除判断部７４０１は、位置情報（Ａ，Ｂ）が示す位置と所定以内の距離の位置である位置情報を属性値として有する地域情報「ＩＤ＝１」「ＩＤ＝２」を、削除対象の地域情報である、と判断する。なお、２つの位置情報が与えられた場合に、２つの位置の距離を算出する技術は公知技術であるので、説明を省略する。
【０１５８】
次に、地域情報削除部７４０２は、「ＩＤ＝１」「ＩＤ＝２」の地域情報を、携帯端末７４から削除する。そして、携帯端末７４には、図１５に示す地域情報が残る。
【０１５９】
携帯端末７４は、以上の処理を繰り返し行う。すると、携帯端末７４内には、バスが通過した地点の地域情報が残らず好適である。
【０１６０】
以上、本実施の形態によれば、バス情報送信装置７２からバス路線識別子を受信したことにより、当該バスの路線に対応する地域情報のみを携帯端末７４に送信できる。
【０１６１】
また、本実施の形態によれば、バス情報送信装置７２からバス路線識別子を受信したことをトリガーとして、携帯端末７４に地域情報を送信できるので、バスの利用客に限った情報提供ができる。
【０１６２】
また、本実施の形態によれば、バスが通過した経路に対応する地域情報を削除するので、携帯端末７４の記憶領域を無駄に利用することがなく好適である。
【０１６３】
また、バス内にＧＰＳ増幅器を設けることにより、ユーザの位置に精度高く対応した情報をユーザに提示できる。
【０１６４】
なお、本実施の形態において、削除判断部７４０１は、地域情報が蓄積された時刻を記憶しておき、所定時間（例えば、１２時間）以上経過した場合に、当該地域情報を削除する、とする判断を行うことは好適である。
【０１６５】
また、本実施の形態において、実施の形態１において説明したように、バス停の降り場付近に設けられた第二情報処理装置１２からの削除命令により、地域情報を削除するようにしても良い。
【０１６６】
また、本実施の形態において、実施の形態１において説明したように、プロファイル情報により、地域情報をフィルタリングしても良いことは言うまでもない。
【０１６７】
また、本実施の形態において、バス情報送信装置７２は、バス路線識別子を携帯端末７４に送信し、携帯端末７４が、バス路線識別子で識別されるバス路線に関連する地域情報以外の地域情報を削除する処理を行っても良い。かかる場合、情報処理装置７１は、バス路線識別子を用いて地域情報を選択する処理は行わず、格納しているすべての地域情報を携帯端末７４に送信する。
【０１６８】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるバス情報送信装置を実現するソフトウェアは、以下のようなプログラムである。つまり、このプログラムは、コンピュータに、バスの路線を識別する情報であるバス路線識別子を読み出し、当該バス路線識別子を送信するバス路線識別子送信ステップを実行させるためのプログラムである。
【０１６９】
また、本実施の形態における情報処理装置を実現するソフトウェアは、以下のようなプログラムである。つまり、このプログラムは、コンピュータに、バス路線識別子を受信するバス路線識別子受信ステップと、前記バス路線識別子と地域情報の属性値である路線情報を用いて、地域情報を選択して取得する地域情報選択ステップと、近距離無線通信により前記地域情報を送信する地域情報送信ステップを実行させるためのプログラムである。
【０１７０】
また、上記プログラムにおいて、コンピュータに、前記地域情報送信ステップで前記地域情報を送信した動作に関する情報である情報送信履歴を取得する情報送信履歴取得ステップと、前記情報送信履歴取得ステップで取得した情報送信履歴を出力する情報送信履歴出力ステップをさらに実行させることは好適である。
【０１７１】
また、本実施の形態における携帯端末を実現するソフトウェアは、以下のようなプログラムである。つまり、このプログラムは、コンピュータに、地域情報を受信する地域情報受信ステップと、前記地域情報を蓄積する地域情報蓄積ステップと、位置情報を取得する位置情報取得ステップと、前記位置情報取得ステップで取得した位置情報が示す位置と一致するまたは所定以内の距離であると判断され得る位置情報を属性値として有する地域情報を読み出す地域情報取得ステップと、前記地域情報取得ステップで取得した地域情報を出力する地域情報出力ステップを実行させるためのプログラム、である。
【０１７２】
また、上記プログラムにおいて、コンピュータに、前記地域情報蓄積ステップで蓄積した地域情報であり、所定の条件に合致する地域情報を、削除する地域情報削除ステップをさらに実行させることは好適である。
【０１７３】
また、上記プログラムにおいて、コンピュータに、位置情報取得ステップで取得した位置情報の履歴から、前記地域情報を出力すべき位置を通過したか否かを判断する、または前記地域情報出力部が地域情報を出力したか否かを判断する削除判断ステップをさらに実行させ、前記地域情報削除ステップにおいて、前記削除判断ステップで前記地域情報を出力すべき位置を通過した、または前記地域情報出力ステップで地域情報を出力したと判断した場合に、当該地域情報を削除することは好適である。
（実施の形態３）
【０１７４】
図１は、本実施の形態における情報処理システムの概念図である。また、図１６は、本実施の形態における情報処理システムのブロック図である。
【０１７５】
本情報処理システムは、１以上の情報処理装置１１、１以上の第二情報処理装置１２、バス位置情報処理装置１３、携帯端末１６４を具備する。
【０１７６】
ここで、情報処理装置１１は、地域情報格納部１１０１、および地域情報送信部１１０２のみを有する、とする。
【０１７７】
携帯端末１６４は、受付部１４０１、地域情報受信部１４０２、地域情報蓄積部１４０３、位置情報取得部１４０６、地域情報取得部１４０７、地域情報出力部１４０８、削除命令受信部１４０９、地域情報削除部１４１０、情報出力履歴取得部１６４０１、情報出力履歴出力部１６４０２を具備する。
【０１７８】
情報出力履歴取得部１６４０１は、地域情報出力部１４０８が地域情報を出力した動作に関する情報である情報出力履歴を取得する。情報出力履歴は、携帯端末１６４がディスプレイに出力した地域情報、スピーカーから出力した地域情報などの出力の履歴に関する情報である。情報出力履歴のデータ構造は問わない。情報出力履歴は、例えば、出力した地域情報のＩＤ、出力していた時間などの情報を有する。情報出力履歴取得部１６４０１は、通常、ＭＰＵやメモリ等から実現され得る。情報出力履歴取得部１６４０１の処理手順は、通常、ソフトウェアで実現され、当該ソフトウェアはＲＯＭ等の記録媒体に記録されている。但し、ハードウェア（専用回路）で実現しても良い。
【０１７９】
情報出力履歴出力部１６４０２は、情報出力履歴取得部１６４０１が取得した情報出力履歴を出力する。情報出力履歴出力部１６４０２は、例えば、情報出力履歴取得部１６４０１が取得した情報出力履歴を、一時、携帯端末１６４の記録媒体（図示しない）に蓄積する。そして、情報出力履歴出力部１６４０２は、例えば、削除命令受信部１４０９が削除命令を受信した場合に、蓄積した情報出力履歴を送信する。この送信先は、第二情報処理装置１２や、予め決められた装置（例えば、情報提供側が保有する装置）などである。情報出力履歴を送信する先が第二情報処理装置１２である場合、第二情報処理装置１２は、情報出力履歴を受信する情報出力履歴受信部、受信した情報出力履歴を蓄積する情報出力履歴蓄積部などを有する。ここで、出力とは、ディスプレイへの表示、プリンタへの印字、音出力、外部の装置への送信、記録媒体への蓄積等を含む概念である。情報出力履歴出力部１６４０２は、ディスプレイやスピーカー等の出力デバイスを含むと考えても含まないと考えても良い。情報出力履歴出力部１６４０２は、出力デバイスのドライバーソフトまたは、出力デバイスのドライバーソフトと出力デバイス等で実現され得る。
【０１８０】
次に、携帯端末１６４の動作について図１７のフローチャートを用いて説明する。図１７のフローチャートにおいて、図３のフローチャートと同一のステップについて、その説明を省略する。
【０１８１】
（ステップＳ１７０１）情報出力履歴取得部１６４０１は、地域情報出力部１４０８が地域情報を出力した動作に関する情報である情報出力履歴を構成する。情報出力履歴取得部１６４０１は、例えば、出力した地域情報のＩＤと出力している時間を示す時間情報を取得し、情報出力履歴を構成する。情報出力履歴の情報の例を図１８に示す。図１８は、情報出力履歴管理表であり、「ＩＤ」「時間」の属性値を有するレコードを１以上有する。図１８において、ユーザは、携帯端末１６４を用いて、「ＩＤ＝２」の地域情報を「２分１２秒」出力し、「ＩＤ＝３」の地域情報を「１５秒」出力したことを示す。なお、情報の出力時間を取得する技術は公知技術である。
【０１８２】
（ステップＳ１７０２）情報出力履歴出力部１６４０２は、ステップＳ１７０１で構成した情報出力履歴を一時蓄積する。ステップＳ３０１に戻る。
【０１８３】
（ステップＳ１７０３）情報出力履歴出力部１６４０２は、一時蓄積した１以上の情報出力履歴を読み出し、送信する。ここでの送信は、例えば、第二情報処理装置１２に対する送信である。
【０１８４】
なお、図１７のフローチャートにおいて、電源オフや処理終了の割り込みにより処理は終了する。
【０１８５】
以上、本実施の形態によれば、ユーザが実際に視聴した地域情報の履歴を得ることができる。
【０１８６】
さらに、本実施の形態における携帯端末を実現するソフトウェアは、以下のようなプログラムである。つまり、このプログラムは、コンピュータに、地域情報を受信する地域情報受信ステップと、前記地域情報を蓄積する地域情報蓄積ステップと、位置情報を取得する位置情報取得ステップと、前記位置情報取得ステップで取得した位置情報が示す位置と一致するまたは所定以内の距離であると判断され得る位置情報を属性値として有する地域情報を読み出す地域情報取得ステップと、前記地域情報取得ステップで取得した地域情報を出力する地域情報出力ステップと、前記地域情報出力ステップで地域情報を出力した動作に関する情報である情報出力履歴を取得する情報出力履歴取得ステップと、前記情報出力履歴取得ステップで取得した情報出力履歴を出力する情報出力履歴出力ステップを実行させるためのプログラム、である。
【０１８７】
また、上記各実施の形態において、各処理（各機能）は、単一の装置（システム）によって集中処理されることによって実現されてもよく、あるいは、複数の装置によって分散処理されることによって実現されてもよい。
【０１８８】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０１８９】
また、上記プログラムを実行するコンピュータは、単数であってもよく、複数であってもよい。すなわち、集中処理を行ってもよく、あるいは分散処理を行ってもよい。
【０１９０】
また、上記各実施の形態において、一の装置に存在する２以上の通信手段（情報送信部など）は、物理的に一の媒体で実現されても良いことは言うまでもない。
【０１９１】
本発明は、以上の実施の形態に限定されることなく、種々の変更が可能であり、それらも本発明の範囲内に包含されるものであることは言うまでもない。
【産業上の利用可能性】
【０１９２】
以上のように、本発明にかかる情報処理システムは、バスの運行経路に合致した地域情報を取得できる、という効果を有し、バスに乗車するユーザに対して提供される情報処理システム等として有用である。
【図面の簡単な説明】
【０１９３】
【図１】実施の形態１における情報処理システムの概念図
【図２】同情報処理システムのブロック図
【図３】同携帯端末の動作について説明するフローチャート
【図４】同地域情報管理表を示す図
【図５】同フィルタリングした地域情報を示す図
【図６】同地域情報の出力例を示す図
【図７】実施の形態２における情報処理システムの概念図
【図８】同情報処理システムのブロック図
【図９】同情報処理装置の動作について説明するフローチャート
【図１０】同携帯端末の動作について説明するフローチャート
【図１１】同地域情報管理表を示す図
【図１２】同地域情報選択部が選択した地域情報を示す図
【図１３】同情報送信履歴管理表を示す図
【図１４】同地域情報の出力例を示す図
【図１５】同携帯端末に残った地域情報を示す図
【図１６】実施の形態３における情報処理システムのブロック図
【図１７】同携帯端末の動作について説明するフローチャート
【図１８】同情報出力履歴の例を示す図
【符号の説明】
【０１９４】
１１、７１  情報処理装置
１２  第二情報処理装置
１３  バス位置情報処理装置
７２  バス情報送信装置
１１０１  地域情報格納部
１１０２、７１０３  地域情報送信部
１１０３  プログラム格納部
１１０４  プログラム送信部
１２０１  削除命令送信部
１３０１  バス位置情報取得部
１３０２  バス位置情報増幅部
１４０１  受付部
１４０２  地域情報受信部
１４０３  地域情報蓄積部
１４０４  プログラム受信部
１４０５  プログラム蓄積部
１４０６  位置情報取得部
１４０７  地域情報取得部
１４０８  地域情報出力部
１４０９  削除命令受信部
１４１０、７４０２  地域情報削除部
１４１１  プロファイル情報格納部
１４１２  嗜好判断部
７１０１  バス路線識別子受信部
７１０２  地域情報選択部
７１０４  情報送信履歴取得部
７１０５  情報送信履歴出力部
７２０１  バス路線識別子格納部
７２０２  バス路線識別子送信部
７４０１  削除判断部
１６４０１  情報出力履歴取得部
１６４０２  情報出力履歴出力部
【図２】
2007233937.tif 000003
【図３】
2007233937.tif 000004
【図８】
2007233937.tif 000005
【図９】
2007233937.tif 000006
【図１０】
2007233937.tif 000007
【図１３】
2007233937.tif 000008
【図１６】
2007233937.tif 000009
【図１７】
2007233937.tif 000010
【図１８】
2007233937.tif 000011
【図１】
2007233937.tif 000012
【図４】
2007233937.tif 000013
【図５】
2007233937.tif 000014
【図６】
2007233937.tif 000015
【図７】
2007233937.tif 000016
【図１１】
2007233937.tif 000017
【図１２】
2007233937.tif 000018
【図１４】
2007233937.tif 000019
【図１５】
2007233937.tif 000020